(57)【要約】      （修正有）【課題】磁気テープ等のアナログ記録媒体に記憶された映像及び音響をデジタルデータに変換してクラウドコンピューターに送信し、保存・管理することができる信号処理装置、及び本人及び第三者が簡易に再生して視ることができる信号処理装置の提供。【解決手段】アナログ記録媒体１に記憶されたアナログデータ信号をデジタルデータ信号に変換するＡ/Ｄ変換部２と、変換されたデジタルデータ信号を保存するデジタルデータ信号保存部と、保存されたデジタルデータ信号をネットワーク（通信回線）を介してクラウドコンピューティング６に送信するデジタルデータ信号送信部５を備えた信号処理装置Ａ。及びクラウドコンピューティング６に送信されたデジタルデータ信号を保存、管理し、本人又は本人から許可された第三者からのアクセスでダウンロードを可能にする権利を付与した状態で提供することを特徴とする信号処理装置Ａを用いた信号管理システム。【選択図】図１
2015019242.tif 000002
【特許請求の範囲】
【請求項１】
映像または音響のうち少なくとも１つを含むアナログ記録媒体に記憶されたアナログデータ信号をデジタルデータ信号に変換するＡ/Ｄ変換部と、変換されたデジタルデータ信号を保存するデータ信号保存部と、保存されたデジタルデータ信号をネットワーク（通信回線）を介してクラウドコンピューティングに送信するデジタルデータ信号送信部を備えることを特徴とする信号処理装置。
【請求項２】
請求項１記載の信号処理装置において、
前記データ信号保存部は、映像または音響のうち少なくとも１つを含むデジタル記録媒体に記憶されたデジタルデータ信号を保存する機能を備えることを特徴とする信号処理装置。
【請求項３】
請求項１又は２に記載の信号処理装置において、
前記デジタルデータ信号送信部は、撮影日又は撮影された画像のなかで最も多く出現する代表的な画像をアイコンとして保存した状態でネットワーク（通信回線）を介してクラウドコンピューティングに送信することを特徴とする信号処理装置。
【請求項４】
請求項１〜３のいずれか１項に記載の信号処理装置の提供に際し、クラウドコンピューティングに送信された信号を保存、管理し、本人又は本人から許可された第三者からのアクセスでダウンロードを可能にする権利を付与した状態で提供することを特徴とする信号処理装置を用いた信号管理システム。
【請求項５】
請求項４記載の信号処理装置を用いた信号管理システムにおいて、
前記本人から許可された第三者からのアクセスでダウンロードされるデジタルデータには、コピーガードがかけられていることを特徴とする信号処理装置を用いた信号管理システム。
【発明の詳細な説明】
【技術分野】
【０００１】
本発明は、信号処理装置及び信号処理装置を用いた信号管理システムに関する。
【背景技術】
【０００２】
従来、インターネットを利用したサービスを提供する新しいシステム形態としては、クラウドコンピューティングが実用化されてきている。自らコンピューター資源を保有していない個人でも、このクラウドコンピューティングのコンピューター資源を利用することで、データの保管、及び最低限の接続環境を用意すればクラウドコンピューティングが提供するサービスを本人及び他人が使用することが可能になる。
【先行技術文献】
【特許文献】
【０００３】
【特許文献１】特開２００４-１５７２０２号公報
【特許文献２】特開２０１１-０１３７１１号公報
【発明の概要】
【発明が解決しようとする課題】
【０００４】
しかしながら、従来例のクラウドコンピューティングシステムを利用するには以下の点で問題があった。
即ち、従来、磁気テープ（８mmカセットテープ、ＶＨＳカセットテープ、ＭＤカセットテープ等）のアナログ記録媒体に記憶された映像及び音響をデジタルデータに変換してＤＶＤ、ブルーレイ等のデジタル記録媒体に保存する信号処理装置は存在する。
【０００５】
ところが、アナログ記録媒体又はデジタル記録媒体に保存された昔の映像を見るにはビデオ再生機器が必要であり、第三者に見せたい場合には、デジタル記録媒体自体を郵送するか、デジタル記録媒体のデータファイルをＰＣやスマートファン等から第三者のＰＣやスマートフォン等のデジタルデータ再生装置に送信する必要があり、極めて面倒であるという問題があった。
【０００６】
本発明の解決しようとする課題は、磁気テープ（８mmカセットテープ、ＶＨＳカセットテープ、ＭＤカセットテープ等）のアナログ記録媒体に記憶された映像及び音響をデジタルデータに変換し、クラウドコンピューティングに送信して保存・管理することができる信号処理装置及び本人及び第三者が簡易に再生して視ることができる信号処理装置を用いた信号管理システムを提供することにある。
【課題を解決するための手段】
【０００７】
上記課題を解決するため請求項１記載の信号処理装置は、映像または音響のうち少なくとも１つを含むアナログ記録媒体に記憶されたアナログデータ信号をデジタルデータ信号に変換するＡ/Ｄ変換部と、変換されたデジタルデータ信号を保存するデジタルデータ信号保存部と、保存されたデジタルデータ信号をネットワーク（通信回線）を介してクラウドコンピューティングに送信するデジタルデータ信号送信部を備えることを特徴とする手段とした。
【０００８】
また、請求項２記載の信号処理装置は、請求項１記載の信号処理装置において、
前記デジタルデータ信号保存部は、映像または音響のうち少なくとも１つを含むデジタル記録媒体に記憶されたデジタルデータ信号を保存する機能を備えることを特徴とする手段とした。
【０００９】
また、請求項３記載の信号処理装置は、請求項１又は２に記載の信号処理装置において、
前記デジタルデータ信号送信部は、撮影日又は撮影された画像のなかで最も多く出現する代表的な画像をアイコンとして保存した状態でネットワーク（通信回線）を介してクラウドコンピューティングに送信することを特徴とする手段とした。
【００１０】
また、請求項４記載の信号処理装置を用いた信号管理システムは、請求項１〜３のいずれか１項に記載の信号処理装置の提供に際し、クラウドコンピューティングに送信されたデジタルデータ信号を保存、管理し、本人又は本人から許可された第三者からのアクセスでダウンロードを可能にする権利を付与した状態で提供することを特徴とする手段とした。
【００１１】
また、請求項５記載の信号処理装置を用いた信号管理システムは、請求項４に記載の信号処理装置を用いた信号管理システムにおいて、
前記本人から許可された第三者からのアクセスでダウンロードされるデジタルデータには、コピーガードがかけられていることを特徴とする手段とした。
【発明の効果】
【００１２】
請求項１記載の信号処理装置及び信号処理装置を用いた信号管理システムでは、上述のように、映像または音響のうち少なくとも１つを含むアナログ記録媒体に記憶されたアナログデータ信号をデジタルデータ信号に変換するＡ/Ｄ変換部と、変換されたデジタルデータ信号を保存するデジタルデータ信号保存部と、保存されたデジタルデータ信号をネットワーク（通信回線）を介してクラウドコンピューティングに送信するデジタルデータ信号送信部を備えることで、アナログ記録媒体に記憶された昔の映像及び音響をデジタルデータに変換してクラウドコンピューティングに送信して保存・管理することができ、これにより、アナログ記憶媒体及びデジタル記録媒体を保管することなしに、いつでもクラウドコンピューティングに保管されたデジタルデータを本人及び第三者がダウンロードして簡易に再生して視ることができるようになるという効果が得られる。
【００１３】
請求項２記載の信号処理装置及び信号処理装置を用いた信号管理システムでは、上述のように、データ信号保存部は、映像または音響のうち少なくとも１つを含むデジタル記録媒体に記憶されたデジタルデータ信号を保存する機能を備えることで、デジタル記憶媒体に記録されたデジタルデータも、本人及び第三者がクラウドコンピューティングからダウンロードして簡易に再生して視ることができるようになるという効果が得られる。
【００１４】
請求項３記載の信号処理装置及び信号処理装置を用いた信号管理システムでは、上述のように、デジタルデータ信号送信部は、撮影日又は撮影された画像のなかで最も多く出現する代表的な画像をアイコンとして保存した状態でネットワーク（通信回線）を介してクラウドコンピューティングに送信するようにしたことで、クラウドコンピューティングからダウンロードしたデジタルデータを日付ごとに管理し、代表的な画像のみを簡易に再生することが可能になる。
【００１５】
請求項４記載の信号処理装置を用いた信号管理システムでは、上述のように、信号処理装置の提供に際し、クラウドコンピューティングに送信された信号を保存、管理し、本人又は本人から許可された第三者からのアクセスでダウンロードを可能にする権利を付与した状態で提供するようにすることで、アナログ記憶媒体及びデジタル記録媒体を保管することなしに、いつでもクラウドコンピューティングに保管されたデジタルデータを本人及び許可された第三者のみが簡易に再生して視ることができるようになるという効果が得られる。
【００１６】
請求項５記載の信号処理装置を用いた信号管理システムは、上述のように、本人から許可された第三者からのアクセスでダウンロードされるデジタルデータには、コピーガードがかけられることで、許可された第三者以外にデジタルデータが拡散することを防止でき、これにより、プライバシーの保護が可能になる。
【図面の簡単な説明】
【００１７】
【図１】実施例１の信号処理装置及び信号処理装置を用いた信号管理システムを示すブロック図である。
【発明を実施するための形態】
【００１８】
以下にこの発明の実施例を図面に基づいて説明する。
【実施例１】
【００１９】
まず、この実施例１の信号処理装置及び信号処理装置を用いた信号管理システムを図面に基づいて説明する。
【００２０】
この実施例１の信号処理装置Ａは、図１に示すように、映像または音響のうち少なくとも１つを含むアナログ記録媒体１に記憶されたアナログデータ信号をデジタルデータ信号に変換するＡ/Ｄ変換部２と、変換されたデジタルデータ信号及びデジタル記録媒体３に記憶されたアナログデータ信号を保存するデジタルデータ信号保存部４と、保存されたデジタルデータ信号をネットワーク（通信回線）を介してクラウドコンピューティング６に送信するデジタルデータ信号送信部５と、を備えている。
【００２１】
さらに詳述すると、前記デジタルデータ信号送信部５は、撮影日及び撮影された画像のなかで最も多く出現する代表的な画像をアイコンとして保存した状態でネットワーク（通信回線）を介してクラウドコンピューティング６に送信するようになっている。
また、信号処理装置Ａには、アナログ及びデジタルの全ての記録媒体をそれぞれ接続するための複数の差込口を備えている。
【００２２】
また、この実施例１の信号処理装置及び信号処理装置を用いた信号管理システムは、上記信号処理装置Ａの提供に際し、クラウドコンピューティング６に送信された信号を保存、管理し、本人又は本人から許可された第三者からのアクセスでダウンロードを可能にする権利を付与した状態で提供するシステムとする。
クラウドコンピューティング６の利用者は、クラウドコンピューティング６にアクセスして必要データをＰＣ、スマートフォン等のデジタルデータ再生機器７にダウンロードして映像等を視ることができる。
【００２３】
また、本人から許可された第三者からのアクセスでダウンロードされるデジタルデータには、コピーガードがかけられている。
【００２４】
次に、この実施例１の作用・効果を説明する。
実施例１の信号処理装置Ａでは、上述のように、映像または音響のうち少なくとも１つを含むアナログ記録媒体１に記憶されたアナログデータ信号をデジタルデータ信号に変換するＡ/Ｄ変換部２と、変換されたデジタルデータ信号及びデジタル記録媒体３に記憶されたアナログデータ信号を保存するデジタルデータ信号保存部４と、保存されたデジタルデータ信号をネットワーク（通信回線）を介してクラウドコンピューティング６に送信するデジタルデータ信号送信部５を備えることで、アナログ記録媒体１に記憶された昔の映像及び音響をデジタルデータに変換してクラウドコンピューティング６に送信して保存・管理することができ、これにより、アナログ記憶媒体１及びデジタル記録媒体３を保管することなしに、いつでもクラウドコンピューティング６に保管されたデジタルデータを本人及び第三者がダウンロードして簡易に再生して視ることができるようになるという効果が得られる。
【００２５】
また、デジタルデータ信号送信部５は、撮影日及び撮影された画像のなかで最も多く出現する代表的な画像をアイコンとして保存した状態でネットワーク（通信回線）を介してクラウドコンピューティング６に送信するようにしたことで、クラウドコンピューティング６からダウンロードしたデジタルデータを日付ごとに管理し、代表的な画像のみを簡易に再生することが可能になる。
【００２６】
また、実施例１の信号処理装置Ａを用いた信号管理システムでは、上述のように、信号処理装置Ａの提供に際し、クラウドコンピューティング６に送信された信号を保存、管理し、本人又は本人から許可された第三者からのアクセスでダウンロードを可能にする権利を付与した状態で提供するようにすることで、アナログ記憶媒体１及びデジタル記録媒体３を保管することなしに、いつでもクラウドコンピューティング６に保管されたデジタルデータを本人及び許可された第三者が簡易に再生して視ることができるようになるという効果が得られる。
【００２７】
また、上述のように、本人から許可された第三者からのアクセスでダウンロードされるデジタルデータには、コピーガードがかけられることで、許可された第三者以外にデジタルデータが拡散することを防止でき、これにより、プライバシーの保護が可能になる。
【００２８】
以上本実施例を説明してきたが、本発明は上述の実施例に限られるものではなく、本発明の要旨を逸脱しない範囲の設計変更等があっても、本発明に含まれる。
【符号の説明】
【００２９】
１  アナログ記憶媒体
２  Ａ/Ｄ変換部
３  デジタル記録媒体
４  データ信号保存部
５  データ信号送信部
６  クラウドコンピューティング
７  デジタルデータ再生機器
【図１】
2015019242.tif 000003